(57)【特許請求の範囲】
【請求項１】
複数の投射光源を搭載し，水平面調整手段（１ｄ）と演算・記憶手段を持つ，一台の墨出し器（１）を用いて，墨出し器設定過程（Ｐ１），天井高さ測定過程（Ｐ２），そして天井矩形投射過程（Ｐ３）から成る一連の過程を経て，床面（２）に墨出しした，中央に床面原点（Ｏ）を持ち，矩形縦長（Ｓ）及び矩形幅長（Ｔ）を有する，所望の床面基準矩形（２ａ）（ＡＢＣＤ）を，天井（３）に投影し，それぞれ対応する中央天井射影原点（Ｏ′）を有する天井投射矩形（３ａ）（Ａ′Ｂ′Ｃ′Ｄ′）を確保する方法であって，該墨出し器設定過程（Ｐ１）において，該墨出し器を該原点（Ｏ）上に設置し，該水平面調整手段を用いて水平を確保し，該墨出し器の中央鉛直軸（Ｚ軸）を含む線路形状投射面を提供する床面方向線路レーザ（４０），及びＺ軸下方向に投射する床面原点投射光（４１）を用い，下面（１ｃ）中央に開口する床面投射窓（４０ａ）から床面（２）に投射し，該床面原点投射光を原点（Ｏ）に一致させると共に，該床面方向線路レーザの投射線路面を，特定の墨出し線路方向に一致させ，次に該天井高さ測定過程（Ｐ２）において，水平な天井投射レーザ移動回転基準面（１ｂ）上にあって，Ｚ軸にそれぞれ距離：Ｒ′だけ離れて回転軸を持つ，第１の天井高さ測定レーザ回転台（３１ｃ）及び第２の天井高さ測定レーザ回転台（３２ｃ）の回転面を対称に対峙配設し，それぞれ該回転台の径方向外側に投射する第１の天井高さ測定レーザ光源（３１ｂ）及び第２の天井高さ測定レーザ光源（３２ｂ）を該回転台に固定し，両該回転台は，高さ変位調整手段（３０）による高さ移動変位量（Ｌ′）に対応し，両該レーザ光源からＺ軸に対称に投射し，上面（１ａ）にそれぞれ設けた第１の天井高さ測定レーザ投射窓（３１ａ）及び第２の天井高さ測定レーザ投射窓（３２ａ）を通る，第１の天井高さ測定レーザ（３１）及び第２の天井高さ測定レーザ（３２）の交点である，中央天井射影原点（Ｏ′）を目視により確認し，該原点（Ｏ′）を墨出しすると共に，該演算・記憶手段を用いて，該天井投射レーザ移動回転基準面から天井面までの鉛直線上の高さ（Ｈ）を算出し，次に天井矩形投射過程（Ｐ３）において，該天井投射矩形のＸ軸方向に距離：Ｓだけ離れ，互いに平行な二辺を投射する天井投射線路レーザ面を形成する，第１のＸ軸移動線路レーザ（１１）及び第２のＸ軸移動線路レーザ（１２）を確保するために，該天井投射レーザ移動回転基準面上にあって，Ｚ軸にそれぞれ距離：Ｒだけ離れて回転軸を持つ，第１のＸ軸移動線路レーザ回転台（１１ｃ）及び第２のＸ軸移動線路レーザ回転台（１２ｃ）の回転面を対称に対峙配設し，それぞれ該回転台の径方向外側にＺ軸に対称に投射する第１のＸ軸移動線路レーザ光源（１１ｂ）及び第２のＸ軸移動線路レーザ光源（１２ｂ）を該回転台に固定し，両該回転台は，Ｘ軸移動変位調整手段（１０）により，Ｘ軸移動に対する軸移動変位量（Ｌ）と，該天井高さ測定過程（Ｐ２）において確保した高さ：Ｈとで算出できる，所望の距離：Ｓは，Ｘ軸移動変位調整手段（１０）により，該演算・記憶手段を用いて，該軸移動変位量（Ｌ）を調節して，Ｘ軸移動変位表示部（１０ｂ）に該距離：Ｓを表示して確保し，また該天井投射矩形のＹ軸方向に所定の距離：Ｔだけ離れ，互いに平行な二辺を投射する天井投射線路レーザ面を形成する，第１のＹ軸移動線路レーザ（２１）及び第２のＹ軸移動線路レーザ（２２）も同様にして確保し，該距離：Ｔは，Ｙ軸移動変位調整手段（２０）により，同様に確保する事を特徴とする天井矩形レーザ墨出し方法。
【発明の詳細な説明】
【０００１】
【発明の属する技術分野】
本発明は，複数の投射光源を搭載した一台の墨出し器を用いて，一回の所定の場所設定で，所望寸法の矩形を天井に投影する，天井矩形レーザ墨出し方法に関する。
【０００２】
【従来の技術】
従来技術における天井矩形レーザ墨出し方法は，一台の墨出し器を用いて，床面矩形の基準点毎に天井に投影し，その一点の投影毎に，該墨出し器の設置場所を移動し，再設定していた。
【０００３】
【発明が解決しようとする課題】
従来技術の天井矩形レーザ墨出し方法は，床面基準点毎に天井に投影し，その一点の投影毎に，該墨出し器の設置場所を移動し，再設定していたので，床面基準矩形を天井に投影するには，少なくとも，４回の再設定を必要とし，多大の労力と時間を要する問題点があった。
【０００４】
【課題を解決するための手段】
上記の問題点を解決するために，本発明の天井矩形レーザ墨出し方法は，複数の投射光源を搭載した，一台の墨出し器を用いて，墨出し器設定過程（Ｐ１），天井高さ測定過程（Ｐ２），そして天井矩形投射過程（Ｐ３）から成る一連の過程を経て，床面に墨出しした，所望の床面基準矩形を，天井に投影し，対応する天井投射矩形を確保する方法である事を特徴とする。
【０００５】
【発明の実施の形態】
本発明の天井矩形レーザ墨出し方法は，複数の投射光源を搭載し，水準器等の水平面調整手段とマイコン等の演算・記憶手段を持つ，一台の墨出し器を用いて，墨出し器設定過程（Ｐ１），天井高さ測定過程（Ｐ２），そして天井矩形投射過程（Ｐ３）から成る一連の過程を経て，床面に墨出しした，中央床面原点（Ｏ）を有する所望の床面基準矩形（ＡＢＣＤ）を，天井に投影し，それぞれ対応する中央天井射影原点（Ｏ′）を有する天井投射矩形（Ａ′Ｂ′Ｃ′Ｄ′）を確保する方法であって，該墨出し器設定過程（Ｐ１）において，該墨出し器の脚部材を開脚して，該中央床面原点（Ｏ）上に設置し，該水平面調整手段を用いて，該墨出し器の水平を確保し，搭載したレーザ光源系を線路方向に振動させ，該墨出し器の中央鉛直軸（Ｚ軸）を含む線路形状投射面を提供する床面方向線路レーザ，及び鉛直軸（Ｚ軸）下方向に投射する床面原点投射光を用い，該墨出し器の下面中央に開口する床面投射窓から床面に投射し，該床面原点投射光を中央床面原点（Ｏ）に一致させると共に，該床面方向線路レーザの投射線路面を，特定の墨出し線路方向（Ｙ軸）に一致させ，次に該天井高さ測定過程（Ｐ２）において，該墨出し器内の水平な天井投射レーザ移動回転基準面上にあって，中央鉛直軸（Ｚ軸）にそれぞれ距離：Ｒ′だけ離れて回転軸を持つ，第１の天井高さ測定レーザ回転台及び第２の天井高さ測定レーザ回転台の回転面を対称に対峙配設し，それぞれ該回転台の径方向外側に投射する第１の天井高さ測定レーザ光源及び第２の天井高さ測定レーザ光源を固定し，両該回転台は，高さ変位調整手段による高さ移動変位量（Ｌ′）に対応し，両該レーザ光源から投射され，該上面にそれぞれ設けた第１の天井高さ測定レーザ投射窓及び第２の天井高さ測定レーザ投射窓を通る，第１の天井高さ測定レーザ及び第２の天井高さ測定レーザの，それぞれ中央鉛直軸（Ｚ軸）から内側への高さ移動変位角（θ′）が比例することにより，両該測定レーザの天井面上での交点である，中央天井射影原点（Ｏ′）を目視により確認し，該原点（Ｏ′）を墨出しすると共に，該演算・記憶手段を用いて，該天井投射レーザ移動回転基準面から天井面までの鉛直線上の高さ（Ｈ）を算出し，次に天井矩形投射過程（Ｐ３）において，該天井投射矩形（Ａ′Ｂ′Ｃ′Ｄ′）において，Ｘ軸方向に所定の距離：Ｓ＝２ｓ離れ，互いに平行な辺：Ａ′Ｄ′とＢ′Ｃ′を投射する天井投射線路レーザ面を形成する，第１のＸ軸移動線路レーザ及び第２のＸ軸移動線路レーザを確保するために，該天井投射レーザ移動回転基準面上にあって，中央鉛直軸（Ｚ軸）にそれぞれ距離：Ｒだけ離れて回転軸を持つ，第１のＸ軸移動線路レーザ回転台及び第２のＸ軸移動線路レーザ回転台の回転面を対称に対峙配設し，それぞれ該回転台の径方向外側に投射する第１のＸ軸移動線路レーザ光源及び第２のＸ軸移動線路レーザ光源を該回転台に固定し，両該回転台は，Ｘ軸移動変位調整手段により，Ｘ軸移動に対する軸移動変位量（Ｌ）に対応し，両該レーザ光源から投射され，該上面にそれぞれ設けた第１のＸ軸移動線路レーザ投射窓及び第２のＸ軸移動線路レーザ投射窓を通る，両該線路レーザのそれぞれ中央鉛直軸（Ｚ軸）から外側への軸移動変位角（θ��が比例することにより，各該線路レーザの天井面での鉛直方向投射点：Ｎから，該軸移動変位角（θ）に対応する投射点：Ｋまでの距離：ΔＲは，ここで測定した該軸移動変位量（Ｌ）と，該天井高さ測定過程（Ｐ２）において確保した高さ：Ｈとで算出でき，所望の距離：Ｓ＝２ｓ＝２（Ｒ＋ΔＲ）は，Ｘ軸移動変位調整手段により，該演算・記憶手段を用いて，該軸移動変位量（Ｌ）を調節して，Ｘ軸移動変位表示部に該距離：Ｓを表示して確保し，また該天井投射矩形のＹ軸方向に所定の距離：Ｔ＝２ｔ離れ，互いに平行な辺：Ａ′Ｂ′とＤ′Ｃ′を投射する天井投射線路レーザ面を形成する，第１のＹ軸移動線路レーザ及び第２のＹ軸移動線路レーザも同様にして確保し，所望の距離：Ｔ＝２ｔ＝２（Ｒ＋ΔＲ）は，Ｙ軸移動変位調整手段により，該演算・記憶手段を用いて，Ｙ軸に対応する軸移動変位量（Ｌ）を調節して，Ｙ軸移動変位表示部に該距離：Ｔを表示して，確保する事を特徴とする。
【０００６】
本発明の天井矩形レーザ墨出し方法の天井高さ測定過程（Ｐ２）において，第１の天井高さ測定レーザ及び第２の天井高さ測定レーザは，どちらか一方のレーザ光源として，点形状投射レーザ光源を用い，他方のレーザ光源として，そのレーザ光源系を線路方向に振動させ短線形状に投射し，その搭載回転面に垂直な線路形状投射面を提供する線路レーザを用いる事も出来る。
【０００７】
本発明の天井矩形レーザ墨出し方法の天井高さ測定過程（Ｐ２）において，第１の天井高さ測定レーザ回転台及び第２の天井高さ測定レーザ回転台は，高さ変位調整手段により，中央鉛直方向に配設した共通の線型ギア棒とギア付き両該回転台の嵌合を用い，該線型ギア棒の鉛直下方向の高さ移動変位量（Ｌ′）に対応させる事も出来る。
【０００８】
本発明の天井矩形レーザ墨出し方法の天井高さ測定過程（Ｐ２）において，高さ（Ｈ）の算出方法は，両測定レーザの天井面上での交点である，中央天井射影原点（Ｏ′）を定め，第１の天井高さ測定レーザ回転台の軸と中央鉛直軸（Ｚ軸）との距離：Ｒ′とし，第１の天井高さ測定レーザ回転台の半径：ｒ′とすれば，既知のＲ′及びｒ′を用い，Ｌ′を測定することにより，
Ｈ＝Ｒ′・ｒ′／Ｌ′・・・・・（１）
を確保し，天井投射レーザ移動回転基準面から天井面までの鉛直線上の高さ：Ｈを算出する事が出来る。
【０００９】
本発明の天井矩形レーザ墨出し方法の天井矩形投射過程（Ｐ３）において，第１のＸ（Ｙ）軸移動線路レーザ回転台及び第２のＸ（Ｙ）軸移動線路レーザ回転台は，Ｘ（Ｙ）軸移動変位調整手段により，両側鉛直方向に連動するコの字形のＸ（Ｙ）軸移動変位連動線型ギア棒とギア付き両該回転台の嵌合を用い，該Ｘ（Ｙ）軸移動変位連動線型ギア棒の鉛直下方向のＸ（Ｙ）軸移動に対する軸移動変位量（Ｌ）に対応させる事も出来る。
【００１０】
本発明の天井矩形レーザ墨出し方法の天井矩形投射過程（Ｐ３）において，測定したＸ（Ｙ）軸移動に対する軸移動変位量（Ｌ）と，天井投射レーザ移動回転基準面から天井面までの鉛直線上の高さ：Ｈを用いて，両レーザの投射方向が対称に中央鉛直軸（Ｚ軸）方向外側に向く場合の所望の距離：Ｓ或いはＴ＝２（Ｒ＋ΔＲ）を算出する方法は，第１のＸ（Ｙ）軸移動線路レーザ回転台の半径：ｒとすれば，既知のＨ及びｒを用い，Ｌを測定することにより，
Ｓ或いはＴ＝２（Ｒ＋Ｈ・Ｌ／ｒ）・・・・（２）或いは（３）
により，Ｘ（Ｙ）軸移動変位調整手段により，該軸移動変位量（Ｌ）を調節して，該所望の距離：Ｓ（Ｔ）を確保することができ，但し，両レーザの投射方向が対称に中央鉛直軸（Ｚ軸）方向内側に向く場合は，所望の距離：Ｓ或いはＴ＝２（Ｒ─ΔＲ）とする。
【００１１】
本発明の天井矩形レーザ墨出し方法は，墨出し器設定過程（Ｐ１）において，床面原点投射光を中央床面原点（Ｏ）に一致させると共に，床面方向線路レーザの投射線路面を，特定の墨出し線路方向に一致させて設定を完了するので，一回の墨出し器の設定を経て，床面に墨出しした，床面基準矩形を，天井に投影し，対応する天井投射矩形を確保する作用を有する。
【００１２】
本発明の天井矩形レーザ墨出し方法は，天井の高さが変わっても，天井高さ測定過程（Ｐ２）を経て，高さ：Ｈを測定し，該高さに対応して，天井矩形投射過程（Ｐ３）を行うので，どの様な天井の高さにも対応できる作用を有する。
【００１３】
本発明の天井矩形レーザ墨出し方法において，中央床面原点（Ｏ）を有する床面基準矩形（ＡＢＣＤ）は，必ずしも床面に墨出する必要はなく，該中央床面原点（Ｏ）と，それに伴う特定の墨出し線路方向（Ｙ軸）を床面に定め墨出するだけでも良い。
【００１４】
【実施例】
この発明の実施例の図面において，図１は本発明の実施例を示す，天井矩形レーザ墨出し方法の一部欠載概略説明用斜視図である。図２は，本発明の実施例を示す，天井矩形レーザ墨出し方法における，天井高さ測定過程（Ｐ２）の一部欠載概略説明用中央断面図，そして図３は，天井矩形投射過程（Ｐ３）の一部欠載概略説明用中央断面図である。図４は，本発明の実施例を示す，天井矩形レーザ墨出し方法に用いる，墨出し器の一部欠載概略説明用平面図である。
【００１５】
この発明の実施例を以下説明すると，天井矩形レーザ墨出し方法は，図１及び図４に示すように，複数の投射光源を搭載し，水準器等の水平面調整手段（１ｄ）とマイコン等の演算・記憶手段を持つ，一台の墨出し器（１）を用いて，墨出し器設定過程（Ｐ１），天井高さ測定過程（Ｐ２），そして天井矩形投射過程（Ｐ３）から成る一連の過程を経て，床面（２）に墨出しした，中央床面原点（Ｏ）を有する床面基準矩形（２ａ）（ＡＢＣＤ）を，天井（３）に投影し，それぞれ対応する中央天井射影原点（Ｏ′）を有する天井投射矩形（３ａ）（Ａ′Ｂ′Ｃ′Ｄ′）を確保する事を特徴とする。
【００１６】
上記，墨出し器設定過程（Ｐ１）において，図１及び図４に示すように，墨出し器（１）の脚部材を開脚して，中央床面原点（Ｏ）上に設置し，装備した水準器等の水平面調整手段（１ｄ）を用いて，該墨出し器を水平に調整し，搭載したレーザ光源系を線路方向に振動させ，該墨出し器の中央鉛直軸（Ｚ軸）を含む線路形状投射面を提供する床面方向線路レーザ（４０），及び鉛直軸（Ｚ軸）下方向に投射する床面原点投射光（４１）を用い，該墨出し器の下面（１ｃ）中央に開口する床面投射窓（４０ａ）から床面（２）に投射し，該床面原点投射光を中央床面原点（Ｏ）に一致させると共に，該床面方向線路レーザの投射線路面を，特定の墨出し線路方向（Ｙ軸）に一致させる。
【００１７】
前記，天井高さ測定過程（Ｐ２）において，図２及び図４に示すように，墨出し器（１）に内蔵し，水平な天井投射レーザ移動回転基準面（１ｂ）上にあって，中央鉛直軸（Ｚ軸）にそれぞれ距離：Ｒ′だけ離れて回転軸を持つ，第１の天井高さ測定レーザ回転台（３１ｃ）及び第２の天井高さ測定レーザ回転台（３２ｃ）の回転面を対称に対峙配設し，それぞれ該回転台の径方向外側に投射する第１の天井高さ測定レーザ光源（３１ｂ）及び第２の天井高さ測定レーザ光源（３２ｂ）を該回転台に固定し，両該回転台は，高さ変位調整手段（３０）により，中央鉛直方向に配設した共通の線型ギア棒（３０ａ）とギア付き両該回転台の嵌合を用い，該線型ギア棒の鉛直下方向の高さ移動変位量（Ｌ′）に対応し，両該レーザ光源から対称に投射され，上面（１ａ）にそれぞれ設けた第１の天井高さ測定レーザ投射窓（３１ａ）及び第２の天井高さ測定レーザ投射窓（３２ａ）を通る，第１の天井高さ測定レーザ（３１）及び第２の天井高さ測定レーザ（３２）の，それぞれ中央鉛直軸（Ｚ軸）から内側への高さ移動変位角（θ′）が比例することにより，両該測定レーザの天井（３）面上での交点である，中央天井射影原点（Ｏ′）を目視により確認し，該原点（Ｏ′）を墨出しすると共に，装備した演算・記憶手段を用いて，該天井投射レーザ移動回転基準面から天井面までの鉛直線上の高さ（Ｈ）を算出する。
【００１８】
前記，天井高さ測定過程（Ｐ２）において，第１の天井高さ測定レーザ（３１）及び第２の天井高さ測定レーザ（３２）は，どちらか一方のレーザ光源として，点形状投射レーザ光源を用い，他方のレーザ光源として，レーザ光源を線路方向に振動させ短線形状に投射し，その搭載回転面に垂直な線路形状投射面を提供する線路レーザを用いた。
【００１９】
前記，天井高さ測定過程（Ｐ２）において，高さ（Ｈ）の算出方法は，図２及び図４に示すように，両測定レーザの天井（３）面上での交点である，中央天井射影原点（Ｏ′）を定め，第１の天井高さ測定レーザ回転台（３１ｃ）の軸と中央鉛直軸（Ｚ軸）との距離：Ｒ′とし，第１の天井高さ測定レーザ（３１）が鉛直上方向を投射した点：Ｎ′より，該第１の天井高さ測定レーザがＯ′に投射した，該第１の天井高さ測定レーザ回転台の軸点：Ｐ′における，触れ角度である高さ移動変位角：θ′＝∠Ｎ′Ｐ′Ｏ′は，対応する線型ギア棒（３０ａ）の鉛直下方向の高さ移動変位：Ｌ′＝Ｍ′Ｑ′のＰ′に対する触れ角度である高さ移動変位角：θ′＝∠Ｍ′Ｐ′Ｑ′に等しく，三角形Ｎ′Ｐ′Ｏ′と三角形Ｍ′Ｐ′Ｑ′は，相似形をなすので，該第１の天井高さ測定レーザ回転台の半径：ｒ′とすれば，Ｒ′／Ｈ＝Ｌ′／ｒ′となり，既知のＲ′及びｒ′を用い，Ｌ′を測定することにより，
Ｈ＝Ｒ′・ｒ′／Ｌ′・・・・・（１）
を確保し，天井投射レーザ移動回転基準面（１ｂ）から天井（３）面までの鉛直線上の高さ：Ｈを算出する事が出来る。
【００２０】
前記，天井矩形投射過程（Ｐ３）において，天井投射矩形（３ａ）（Ａ′Ｂ′Ｃ′Ｄ′）において，Ｘ軸方向に所定の距離：Ｓ＝２ｓ離れ，互いに平行な辺：Ａ′Ｄ′とＢ′Ｃ′を投射する天井投射線路レーザ面を形成する，第１のＸ軸移動線路レーザ（１１）及び第２のＸ軸移動線路レーザ（１２）を確保する方法は，図３に示すように，墨出し器（１）に内蔵し，水平な天井投射レーザ移動回転基準面（１ｂ）上にあって，中央鉛直軸（Ｚ軸）にそれぞれ距離：Ｒだけ離れて回転軸を持つ，第１のＸ軸移動線路レーザ回転台（１１ｃ）及び第２のＸ軸移動線路レーザ回転台（１２ｃ）の回転面を対称に対峙配設し，それぞれ該回転台の径方向外側に投射する第１のＸ軸移動線路レーザ光源（１１ｂ）及び第２のＸ軸移動線路レーザ光源（１２ｂ）を該回転台に固定し，両該回転台は，Ｘ軸移動変位調整手段（１０）により，両側鉛直方向に連動するコの字形のＸ軸移動変位連動線型ギア棒（１０ａ）とギア付き両該回転台の嵌合を用い，該Ｘ軸移動変位連動線型ギア棒の鉛直下方向のＸ軸移動に対する軸移動変位量（Ｌ）に対応し，両該レーザ光源から対称に投射され，上面（１ａ）にそれぞれ設けた第１のＸ軸移動線路レーザ投射窓（１１ａ）及び第２のＸ軸移動線路レーザ投射窓（１２ａ）を通る，両該線路レーザのそれぞれ中央鉛直軸（Ｚ軸）から外側への軸移動変位角（θ）が比例することにより，各該線路レーザの天井（３）面での鉛直方向投射点：Ｎから，該軸移動変位角（θ）に対応する投射点：Ｋまでの距離：ΔＲは，ここで測定した該軸移動変位量（Ｌ）と，天井高さ測定過程（Ｐ２）において算出した，該天井投射レーザ移動回転基準面から天井面までの鉛直線上の高さ：Ｈとで算出でき，所望の距離：Ｓ＝２ｓ＝２（Ｒ＋ΔＲ）は，Ｘ軸移動変位調整手段（１０）により，装備した演算・記憶手段を用いて，該軸移動変位量（Ｌ）を調節して，Ｘ軸移動変位表示部（１０ｂ）に該距離：Ｓを表示して，確保する事が出来る。
【００２１】
上記，天井矩形投射過程（Ｐ３）において，測定したＸ軸移動に対する軸移動変位量（Ｌ）と，天井投射レーザ移動回転基準面（１ｂ）から天井（３）面までの鉛直線上の高さ：Ｈを用いて，所望の距離：Ｓ＝２ｓ＝２（Ｒ＋ΔＲ）を算出する方法は，図３及び図４に示すように，第１のＸ軸移動線路レーザ（１１）が鉛直上方向を投射した天井（３）上の点：Ｎより外側のＫ点に投射した，第１のＸ軸移動線路レーザ回転台（１１ｃ）の軸点：Ｐにおける，触れ角度である軸移動変位角：θ＝∠ＮＰＫは，対応するＸ軸移動変位連動線型ギア棒（１０ａ）の鉛直下方向のＸ軸移動に対する軸移動変位量：Ｌ＝ＭＱのＰに対する触れ角度である軸移動変位角：θ＝∠ＭＰＱに等しく，三角形ＮＰＫと三角形ＭＰＱは，相似形をなすので，該第１のＸ軸移動線路レーザ回転台の半径：ｒとすれば，ΔＲ／Ｈ＝Ｌ／ｒとなり，既知のＨ及びｒを用い，Ｌを測定することにより，ΔＲ＝Ｈ・Ｌ／ｒとなるので，
Ｓ＝２（Ｒ＋Ｈ・Ｌ／ｒ）・・・・（２）
により，Ｘ軸移動変位調整手段（１０）により，該軸移動変位量（Ｌ）を調節して，該所望の距離：Ｓを確保する事が出来る。
【００２２】
前記，天井矩形投射過程（Ｐ３）において，天井投射矩形（３ａ）（Ａ′Ｂ′Ｃ′Ｄ′）において，Ｙ軸方向に所定の距離：Ｔ＝２ｔ離れ，互いに平行な辺：Ａ′Ｂ′とＤ′Ｃ′を投射する天井投射線路レーザ面を形成する，第１のＹ軸移動線路レーザ（２１）及び第２のＹ軸移動線路レーザ（２２）を確保する方法は，図３及び図４に示すような，Ｘ軸方向に対する方法と同様に，墨出し器（１）に内蔵し，水平な天井投射レーザ移動回転基準面（１ｂ）上にあって，中央鉛直軸（Ｚ軸）にそれぞれ距離：Ｒだけ離れて回転軸を持つ，第１のＹ軸移動線路レーザ回転台（２１ｃ）及び第２のＹ軸移動線路レーザ回転台（２２ｃ）の回転面を対称に対峙配設し，それぞれ該回転台の径方向外側に投射する第１のＹ軸移動線路レーザ光源（２１ｂ）及び第２のＹ軸移動線路レーザ光源（２２ｂ）を固定し，両該回転台は，Ｙ軸移動変位調整手段（２０）により，両側鉛直方向に連動するコの字形のＹ軸移動変位連動線型ギア棒（２０ａ）とギア付き両該回転台の嵌合を用い，該Ｙ軸移動変位連動線型ギア棒の鉛直下方向のＹ軸移動に対する軸移動変位量（Ｌ）に対応し，両該レーザ光源から投射され，上面（１ａ）にそれぞれ設けた第１のＹ軸移動線路レーザ投射窓（２１ａ）及び第２のＹ軸移動線路レーザ投射窓（２２ａ）を通る，両該線路レーザのそれぞれ中央鉛直軸（Ｚ軸）から外側への軸移動変位角（θ）が比例することにより，各該線路レーザの天井（３）面での鉛直方向投射点：Ｎから，該軸移動変位角（θ）に対応する投射点：Ｋまでの距離：ΔＲは，ここで測定した該軸移動変位量（Ｌ）と，天井高さ測定過程（Ｐ２）において算出した，該天井投射レーザ移動回転基準面から天井面までの鉛直線上の高さ：Ｈとで算出でき，所望の距離：Ｔ＝２ｔ＝２（Ｒ＋ΔＲ）は，Ｙ軸移動変位調整手段（２０）により，装備した演算・記憶手段を用いて，該軸移動変位量（Ｌ）を調節して，Ｙ軸移動変位表示部（２０ｂ）に該距離：Ｔを表示して，確保する事が出来る。
【００２３】
上記，天井矩形投射過程（Ｐ３）において，測定したＹ軸移動に対する軸移動変位量（Ｌ）と，天井投射レーザ移動回転基準面（１ｂ）から天井（３）面までの鉛直線上の高さ：Ｈを用いて，所望の距離：Ｔ＝２ｔ＝２（Ｒ＋ΔＲ）を算出する方法は，図３及び図４に示すような，Ｘ軸方向に対する方法と同様に，第１のＹ軸移動線路レーザ（２１）が鉛直上方向を投射した天井（３）上の点：Ｎより外側のＫ点に投射した，第１のＹ軸移動線路レーザ回転台（２１ｃ）の軸点：Ｐにおける，触れ角度である軸移動変位角：θ＝∠ＮＰＫは，対応するＹ軸移動変位連動線型ギア棒（２０ａ）の鉛直下方向のＹ軸移動に対する軸移動変位量：Ｌ＝ＭＱのＰに対する触れ角度である軸移動変位角：θ＝∠ＭＰＱに等しく，三角形ＮＰＫと三角形ＭＰＱは，相似形をなすので，該第１のＹ軸移動線路レーザ回転台の半径：ｒとすれば，ΔＲ／Ｈ＝Ｌ／ｒとなり，既知のＨ及びｒを用い，Ｌを測定することにより，ΔＲ＝Ｈ・Ｌ／ｒとなるので，
Ｔ＝２（Ｒ＋Ｈ・Ｌ／ｒ）・・・・（３）
により，Ｙ軸移動変位調整手段（２０）により，該軸移動変位量（Ｌ）を調節して，該所望の距離：Ｔを確保する事が出来る。
【００２４】
【発明の効果】
本発明は，以上説明した様な形態で実施され，以下に記載される様な効果を有する。
【００２５】
本発明の天井矩形レーザ墨出し方法は，墨出し器設定過程（Ｐ１）において，床面原点投射光を中央床面原点に一致させると共に，床面方向線路レーザの投射線路面を，特定の墨出し線路方向に一致させて設定を完了するので，一回の墨出し器の設定を経て，所望の基準矩形を，簡単な操作で，天井に投影し，天井投射矩形を確保する効果を有し，従って作業の省力化を図る事が出来る。
【００２６】
本発明の天井矩形レーザ墨出し方法は，天井の高さが変わっても，天井高さ測定過程（Ｐ２）を経て，所定の高さ：Ｈを測定し，該高さに対応して，天井矩形投射過程（Ｐ３）を行うので，どの様な天井の高さにも対応できる効果を有する。
【図面の簡単な説明】
【図１】本発明の実施例を示す，天井矩形レーザ墨出し方法の一部欠載概略説明用斜視図。
【図２】本発明の実施例を示す，天井矩形レーザ墨出し方法における，天井高さ測定過程（Ｐ２）の一部欠載概略説明用中央断面図。
【図３】本発明の実施例を示す，天井矩形レーザ墨出し方法における，天井矩形投射過程（Ｐ３）の一部欠載概略説明用中央断面図。
【図４】本発明の実施例を示す，天井矩形レーザ墨出し方法に用いる，墨出し器の一部欠載概略説明用平面図。
【符号の説明】
１    墨出し器
１ａ  上面
１ｂ  天井投射レーザ移動回転基準面
１ｃ  下面
１ｄ  水平面調整手段
２    床面
２ａ  床面基準矩形，ＡＢＣＤ
３    天井
３ａ  天井投射矩形，Ａ′Ｂ′Ｃ′Ｄ′
１０    Ｘ軸移動変位調整手段
１０ａ  Ｘ軸移動変位連動線型ギア棒
１０ｂ  Ｘ軸移動変位表示部
１１    第１のＸ軸移動線路レーザ
１１ａ  第１のＸ軸移動線路レーザ投射窓
１１ｂ  第１のＸ軸移動線路レーザ光源
１１ｃ  第１のＸ軸移動線路レーザ回転台
１２    第２のＸ軸移動線路レーザ
１２ａ  第２のＸ軸移動線路レーザ投射窓
１２ｂ  第２のＸ軸移動線路レーザ光源
１２ｃ  第２のＸ軸移動線路レーザ回転台
２０    Ｙ軸移動変位調整手段
２０ａ  Ｙ軸移動変位連動線型ギア棒
２０ｂ  Ｙ軸移動変位表示部
２１    第１のＹ軸移動線路レーザ
２１ａ  第１のＹ軸移動線路レーザ投射窓
２１ｂ  第１のＹ軸移動線路レーザ光源
２１ｃ  第１のＹ軸移動線路レーザ回転台
２２    第２のＹ軸移動線路レーザ
２２ａ  第２のＹ軸移動線路レーザ投射窓
２２ｂ  第２のＹ軸移動線路レーザ光源
２２ｃ  第２のＹ軸移動線路レーザ回転台
３０    高さ変位調整手段
３０ａ  線型ギア棒
３１    第１の天井高さ測定レーザ
３１ａ  第１の天井高さ測定レーザ投射窓
３１ｂ  第１の天井高さ測定レーザ光源
３１ｃ  第１の天井高さ測定レーザ回転台
３２    第２の天井高さ測定レーザ
３２ａ  第２の天井高さ測定レーザ投射窓
３２ｂ  第２の天井高さ測定レーザ光源
３２ｃ  第２の天井高さ測定レーザ回転台
４０    床面軸方向線路レーザ
４０ａ  床面投射窓
４１    床面原点投射光
ｒ      軸移動回転台半径
ｒ′    高さ移動回転台半径
Ｈ      天井投射レーザ移動回転基準面（１ｂ）から天井（３）面までの鉛直線上の高さ
Ｏ      床面原点
Ｏ′    天井射影原点
Ｌ      軸移動変位量
Ｌ′    高さ移動変位量
Ｒ      軸移動回転台配置半径
ΔＲ    軸移動量
Ｒ′    高さ移動回転台配置半径
Ｓ      矩形縦長＝２ｓ
Ｔ      矩形幅長＝２ｔ
Ｘ，Ｙ  床面水平直交軸
Ｚ      鉛直軸
Ｘ′，Ｙ′  天井射影水平直交軸
θ      軸移動変位角
θ′    高さ移動変位角
【図１】
0004427679.tif 000002
【図２】
0004427679.tif 000003
【図３】
0004427679.tif 000004
【図４】
0004427679.tif 000005